(57)【要約】      （修正有）【課題】マウスなどのコンピュータ補助入力具の操作性を高め、ひいては長時間の操作を行う場合でも手首から首筋に至るまでの部位の疲労を軽減することのできる腕（手首）支持ホルダを提供する。【解決手段】非使用時には開放状態を維持し手首を載置すると当該手首を両側から包み込むように回動するホルダ部１と、該ホルダ部１を支持するスタンド部３から構成されており、さらにホルダ部１の底部には低反発ウレタン樹脂などのパッド５が設けられている。【選択図】図１
0003134038.tif 000002
【実用新案登録請求の範囲】
【請求項１】
手首を載置保持するホルダ部と、該ホルダを支持すべくホルダ部の下方に連結されているスタンド部を有し、ホルダ部には非使用時には手首受け容れ口を画定すべく開放状態を維持するように構成されており、手首を前記ホルダ部の受け容れ口から入れて底部に載置するとその重力により当該手首を両側から包み込むように回動するように構成されており、スタンド部はホルダ部の下方に設けられており手首の重力によりスタンド部は、左右に広がる構造をもつことを特徴とするコンピュータ補助入力具操作用腕支持ホルダ。
【請求項２】
上記ホルダ部の底部には、パッドが設けられていることを特徴とする請求項１に記載のコンピュータ補助入力具操作用腕支持ホルダ。
【請求項３】
上記パッドがウレタン樹脂で形成されていることを特徴とする請求項２に記載のコンピュータ補助入力具操作用腕支持ホルダ。
【考案の詳細な説明】
【技術分野】
【０００１】
本考案は、コンピュータ補助入力具操作用腕支持ホルダに関するものであり、更に詳しくは、コンピュータの補助入力具であるマウスやトラックボール或いは、ペンタブレットなどの操作を長時間行う際に腕や肩などの疲れを生じさせずに当該補助入力具の操作を安定的に行わせることのできる腕支持ホルダに関するものである。
【背景技術】
【０００２】
従来、マウス等のコンピュータ補助入力具を操作する際に手首を机上面から若干上方に位置させて補助入力具の操作性を向上させるための腕支持ホルダが数多く存在する。例えば、レストバーと呼ばれるような板蒲鉾状の棒状体のものや、特開２００６−２２１５３１、実用新案登録第３０９７０３５号などに示されたものがある。
【考案の開示】
【考案が解決しようとする課題】
【０００３】
しかしながら、上記した従来の腕支持ホルダにおいては、単に手首をホルダ上に載せておくだけであるため、マウス等の補助入力具の操作性の安定感が乏しく、操作がしづらいといった欠点があった。また、このため長時間の操作を行う場合には、手首から上腕部、更には肩まで疲れが及び、コンピュータ操作者の大きな負担となっていた。
【課題を解決するための手段】
【０００４】
本考案は、斯かる従来技術の欠点に鑑みて提案されたもので、マウス等のコンピュータ補助入力具の操作性を高め、ひいては同じ状態での長時間の操作を行う場合でも、手首から首筋に至るまでの部位の疲労を軽減することのできる、腕（手首）支持ホルダを提供するものである。
【０００５】
この手段として、本考案のコンピュータ補助入力具操作用腕支持ホルダは、手首を載置保持するホルダ部と、該ホルダを支持すべくホルダ部の下方に連結されているスタンド部を有し、ホルダ部には非使用時には手首受け容れ口を画定すべく開放状態を維持するように構成されており、手首を前記ホルダ部の受け容れ口から入れて底部に載置すると、その重力により当該手首を両側から包み込むように回動するように構成されており、スタンド部はホルダ部の下方に設けられており、手首の重力によりスタンド部は左右に広がり、手首を維持・安定する構造をもつことを特徴とするコンピュータ補助入力具操作用腕支持ホルダ。
【０００６】
上記ホルダ部の底部には、パッドが設けられていることを特徴とする。
【０００７】
上記パッドがウレタン樹脂で形成されていることを特徴とする。
【０００８】
上記スタンド部が、手首をホルダ部に載置したときに付勢力に抗して下方向に押し下げられ、かつ、手首をホルダ部から離間させたときに元の位置に復帰する構成であることを特徴とする。
【考案の効果】
【０００９】
手首をホルダ部の底面に載置したときに、その重力により両側からホルダが包み込む方向に回動して手首を周方向に全体的に包み込む。これにより手首が安定的に保持（支受）させることが可能となり、マウス等の操作性が向上する。
【００１０】
また、ホルダ部の底面にパッドを設けておくと、長時間手首を載置しておいても痛くない。
【００１１】
さらに、スタンドが押し下げられると、手首（一の腕）がマウスなどを載置している机上面と略平行を保つことができ、腕全体の疲労を軽減或いは防止できる。
【実施例】
【００１２】
以下、本考案を添付した図面に従って詳説する。
図１〜３は、本考案のコンピュータ補助入力具操作用腕支持ホルダを示す正面図、平面図、側面図である。本考案のコンピュータ補助入力具操作用腕支持ホルダは、マウスなどの補助入力具操作者の腕を支持するホルダ部１と、該ホルダ部を安定的に机上に立脚状態で支持するスタンド部３と、ホルダ部１の底面部に設けられたパッド５から主に構成される。
【００１３】
手首を載せるホルダ部１は、例えばＡＢＳ樹脂等から成型されたもので、両端が開口した円筒状で直径方向に１ａ，１ｂと２分割状となっている。ホルダ構成部材１a，１ｂは、下部において蝶番で矢印方向に開閉可能に連結されている。図示において番号７は、蝶番を開閉可能に枢支するシャフトである。ホルダ部１（１a，１ｂ）の長手方向の寸法は、特に限定されるものではないが、手首を安定的に載置できる寸法であることが必要である。例えば、５０ｍｍ〜７０ｍｍ位が良い。また、この長手方向の寸法は、全体的に同じ長さにしなくても、図２に示すように、手首の載置部の方を長くし、上端に行くほど短くなるようにしておいても良い。
【００１４】
なお、蝶番構造は、特に図示していないがホルダ部１（１a，１ｂ）が開閉可能な構造であれば、如何様な構造であってもよい。
【００１５】
また、非使用時には、図４に示すようにホルダ部１が開いた状態になっており、手首を入れやすいようになっている。これは図５に示すように、コイルスプリング８でホルダ部１（１a，１ｂ）を開かせた状態を維持させるためである。したがって、ホルダ部１（１a，１ｂ）を開いた状態に維持させるためのものであれば、他の付勢手段（構造）であっても良いことは言うまでもない。
【００１６】
ホルダ部１の底部には、手首を載せた際に手首が痛くならないようにするためのパッド５が取付けられている。パッド５には、図４から分かるように左右５a，５ｂに分割するための楔状の切込み５０が形成されており、図１に示すようにホルダ部１a，１ｂが閉じたときに、会合して突起が長手方向にできるのを防止して、平坦性を担保できるようになっている。
【００１７】
このパッド５の素材としては、特に限定されるものではないが、腕の当たる感触などを考慮すると、低反発ウレタン樹脂などの材料で構成されるのが望ましい。
【００１８】
なお、上記した楔状の切込み５０は、本考案の必須のものではないことは言うまでもない。伸縮自在の材料で構成しておけば、この切込み５０は必要でなくなる。
【００１９】
パッド５は、好ましくは長手方向の全長に亘って設けられているが、周方向においては手首を置く部分のみにあればよい。もっとも周方向に全体的に設けておいてもよいことは言うまでもない。そうすれば手首を周方向に全体的に柔らかく包み込むことができる。
【００２０】
ホルダ部１の下側には、一対のスタンド部３（３a，3b）が開閉可能に設けられている。非使用時には、図４に示すように立った状態に付勢されており、手首をホルダ部１に載せると、腕の重さで付勢力に抗して図１に示すように広がった状態となっている。
【００２１】
これによりホルダ部１の上側に画定された手首受け容れ口から手首を入れて、ホルダ部１の底部に載せたときには、その重力によりホルダ部１は、中央が沈み両ホルダ部材１a，１ｂがシャフトを中心に内側方向である閉方向に回動し（図４で示す矢印A方向）手首を包み込む。このとき、スタンド３（３a，3b）は、腕の重さで下方（矢印Ｂ方向）に押し下げられる。そうすると手首が机上に近づいて、すなわち手首が机上面と平行な姿勢を確保でき、マウス等の補助入力具の操作性の向上を得ることができる。
【００２２】
スタンド３の両端側は、開閉に伴って机上面を摺動するので、この両端部は摺動摩擦を少なくするように断面形状が円弧状となっている。この部分は好ましくは、スライダーユニットとして滑り摩擦を抑制する、フッ素樹脂から成型されたものを取付けておくとよい。
【００２３】
もっとも、このような別体のユニットを取付けなくても、端部の形状を摺動方向に円弧状にしておき、この部分にフッ素系塗料を塗布しておくことでも良い。
【００２４】
上記説明においてスタンド部３は、開閉状態方向に机上面を摺動するが、これに限定されるものではない。すなわち、付勢手段を設けずに、はじめから図１に示す姿勢位置に固定してあっても良い。この場合には、手首をホルダ部１に載せたときには、ホルダ部１のみが図４の状態から図１の状態に閉じることになる。
【００２５】
また、ホルダ部１から手首を抜く場合には、手首を上方に持ち上げてやる。そうするとコイルスプリングの付勢力により図１に示すようにホルダ部１a，１ｂが矢印Ｃ方向に開くように回動し、最終的には図４に示す位置まで復帰して手首をホルダ部１から抜くことができる。
【産業上の利用可能性】
【００２６】
上記した本考案によれば、手首をホルダ部の底面に載置したときに、両側からホルダが手首を包み込む方向に回動して、手首を周方向に全体的に包み込む。これにより手首が安定的に保持（支受）させることが可能となり、マウス等の操作性が向上する。これは一方の手（腕）の手首を他方の手の平に載せておくだけの場合と、さらに親指と人差し指の間に手首を位置させて、該他方の手で一方の腕の手首を軽く握った場合、該一方の腕の安定感が優れているのが分かるのと同様であり、本考案は、まさしくこの違いに起因してなされたものである。
【００２７】
また、ホルダ部の底面にパッドが設けられていると、長時間手首を載置しておいても痛くない。
【００２８】
さらに、スタンドが押し上げ（下げ）られる機構のものは、肘を基点として手首を上下方向に移動させても、手首にホルダが密着しているので、操作性が良い。あるいは肘を机上面につけない場合でも、手首にホルダが密着した状態で手首から肘までの部分の机上面との角度が使用者の使い勝手の良い角度に調整できる。これにより操作性の向上が図れると共に腕全体の疲労を軽減或いは防止できる。
【図面の簡単な説明】
【００２９】
【図１】本考案のコンピュータ補助入力具操作用腕支持ホルダの使用状態の位置を示す正面図である。
【図２】本考案のコンピュータ補助入力具操作用腕支持ホルダの使用状態の位置を示す平面図である。
【図３】本考案のコンピュータ補助入力具操作用腕支持ホルダの使用状態の位置を示す側面図である。
【図４】本考案のコンピュータ補助入力具操作用腕支持ホルダの非使用状態の位置を示す正面図である。
【図５】本考案のコンピュータ補助入力具操作用腕支持ホルダの非使用状態の位置を示す正面断面図である。
【符号の説明】
【００３０】
１  ホルダ部
３  スタンド部
５  パッド
７  シャフト
【図１】
0003134038.tif 000003
【図２】
0003134038.tif 000004
【図３】
0003134038.tif 000005
【図４】
0003134038.tif 000006
【図５】
0003134038.tif 000007